【事件の表示】
　平成　７年特許願第２２９９９８号「遊技機用コイン払出装置」拒絶査定不服審判事件〔平成　９年　３月１８日出願公開、特開平　９−　７０４６８〕について、次のとおり審決する。
【結　論】
　本件審判の請求は、成り立たない。
【理　由】
第１．手続きの経緯・本願発明　
　本願は、平成７年９月７日の出願であって、平成１２年１１月２９日付けで手続補正がなされ、平成１５年６月２日付けで拒絶理由が通知され、これに対し、同年７月２４日付けで手続補正がなされ、平成１５年１０月６日付けで拒絶査定がなされ、これに対し、同年１１月１１日に拒絶査定に対する審判請求がなされ、その後、当審において、平成１９年３月２３日付けで拒絶理由が通知され、これに対し、同年５月２８日付けで手続補正がなされたものである。
　　
　したがって、本願の請求項１乃至４に係る発明は、上記平成１９年５月２８日付け手続補正によって補正された特許請求の範囲の請求項１乃至４に記載されたとおりのものと認められるところ、その請求項２に記載された発明は次のとおりのものである。
　【請求項２】コインを媒体として作動する遊技機の内部に設けられたガイドレールに沿って移動可能で、多数のコインを収容するバケット部と該バケット部を支持する基台とを有するコイン払出装置において、
　前記基台の側面に設けられ且つ前記ガイドレールに沿って摺動可能なガイド片と、該ガイド片を前記ガイドレールに係合させて前記基台を前記遊技機内部の所定の位置まで移動させたとき、前記遊技機の内部に設けられた略矩形状の第１コネクタと接続するように前記基台に設けられた略矩形状の第２コネクタと、前記基台を固定するロック機構とを備え、
　略矩形状の前記第１コネクタ及び前記第２コネクタの内、一方のコネクタの対角線上に一対の穴部を備え、他方のコネクタの対角線上に前記穴部と係合する一対の突起部を備え、
　前記ロック機構は、前記遊技機の底部を構成し前記基台が搭載される基板に開口された開口部に係止される係止部材と、該係止部材に連動するロック・解除部材とを備えて構成され、該ロック・解除部材を操作することによって前記係止部材を前記開口部で係止させる方向に移動させ、前記基台を前記遊技機に固定し、かつ、前記係止部材を前記開口部から外れる方向に移動させ、前記基台を前記遊技機から解放することを特徴とする遊技機用コイン払出装置。（以下「本願発明」という）
　
第２．当審の拒絶理由　
　当審は、平成１９年３月２３日付けの拒絶理由で、本願の請求項１乃至４に係る発明は、特許法第２９条第２項の規定により特許を受けることができない旨を通知したが、それらのうち、本願の請求項２に係る発明については、下記の「刊行物１に記載された発明」及び下記の「刊行物２乃至４に記載された周知・慣用の技術」並びに下記の「刊行物５及び６に記載された周知・慣用の技術」に基づいて当業者が容易に発明をすることができたものであるから、特許を受けることができない旨を通知した。
　刊行物１：実公平４−１９６０号公報
　刊行物２：特開平７−１６３７３１号公報（平成７年６月２７日公開）
　刊行物３：特開平５−３２９２５１号公報
　刊行物４：特開平３−２２２９８２号公報
　刊行物５：実願昭６２−３９７１２号（実開昭６３−１４８７７２号）の
　　　　　　マイクロフィルム
　刊行物６：昭和１３年実用新案出願公告第４３３５号公報
　
第３．刊行物に記載された発明　
　当審の拒絶理由通知に引用され、本願出願前に頒布された、上記実公平４−１９６０号公報（以下、「引用刊行物１」という）には、以下の記載がある。
　第１頁第１欄第４行乃至第９行には「・・・複数個の絵柄ドラム８と、メダルを収容するための上方に開口するホツパー部３３と、前記各絵柄ドラム８の回転停止時における絵柄の組合わせに応じてそのホツパー部３３内のメダルを排出する排出装置１１とを備えたスロツトルマシンにおいて、」と、
　第２頁第３欄第１６行乃至第３９行には「第１図及び第２図に示すように、スロツトルマシンの筐体１は前面にて開口する箱状に形成され、この筐体１の内部収容空間は上下一対の仕切板２，３によつて３つに区画されている。上方の収容部４内には電源ユニツト５が収容され、中央の収容部６内には絵柄ドラムユニツト７が収容されている。・・・
  下方の収容部９にはメダルホツパーユニツト１０が収容されている。このメダルホツパーユニツト１０は各絵柄ドラム８の回転停止時における絵柄の組合わせに応じて所定数のメダルを排出するための排出装置１１と、その排出装置１１のホツパー部内に供給されるメダルを収容しておくための補助ホツパー５１とを備えている。又、前記絵柄ドラムユニツト７、排出装置１１等は前記電源ユニツト５に電気的に接続され、それらは図示しない中央処理装置を含む制御装置により制御される。」と、
　第２頁第４欄第３７行乃至第３頁第５欄第７行には「第３図に示すように、筐体１の底板１ａ上には前後方向に延びる左右一対の案内レール３０が取付けられ、各案内レール３０と底板１ａとの間には前記メダルホツパーユニツト１０の排出装置１１の下面に設けられた左右一対の脚片３１が前後方向へ移動可能に嵌合部されている。各案内レール３０の後方において前記底板１ａ上にはメダルホツパーユニツト１０の後方への移動を規制するための規制突条３２が設けられ、メダルホツパーユニツト１０の後方の位置決めがなされる。メダルホツパーユニツト１０のホツパー部３３は中空状に形成され、その上面には開口３４が形成されている。このホツパー部３３の左側部には前方にて開口するメダル排出口３５が設けられている。」と、
　第３頁第５欄第１１行乃至第１７行には「そして、ホツパー部３３内にメダルがほとんど収容されていない場合には、・・・又、前記ホツパー部３３内ほぼ全体にメダルが収容されている場合は・・・」と、
　第４頁第８欄第２４行乃至第５頁第９欄第４行には「次に、上記のように構成されたスロツトルマシンの作用について説明する。まず、・・・メダル投入口２１からメダルが筐体１内に投入された場合には、図示しないメダル選別計数装置の作動に基づき、そのメダルがメイン導出体４０を通つてホツパー部３３内に導入される。
  次にいずれか一方の起動スイツチレバー２２が押下げられて各絵柄ドラム８が一斉に回転された後、各停止スイツチボタン２３が押圧操作されると、その操作に基づき絵柄ドラムユニツト７の停止機構（図示しない）が作動されて、各絵柄ドラム８が順次停止される。そして第１図に示す組合わせライン１８上において各絵柄ドラム８の絵柄の組合わせが的中絵柄表示部２０に示す的中絵柄の組合わせと一致した場合には、第３図に示す排出装置１１が作動され、前記的中絵柄の組合わせに応じてホツパー部３３内のメダルがメダル排出口３５を介して第１図に示す受皿２８内に排出される。」と、それぞれ記載されている。
　　
　したがって、引用刊行物１には、　
「メダルを媒体として作動するスロツトルマシンの内部に設けられた案内レール３０に沿って移動可能で、メダルを収容する補助ホツパー５１とホツパー部３３とメダルを排出する排出装置１１とを備えるメダルホツパーユニツト１０において、
　前記排出装置１１の下面に設けられ且つ前記案内レール３０に沿って前後方向へ移動可能な脚片３１を備え、該脚片３１を案内レール３０と底板１ａとの間に嵌合させ、
　前記排出装置１１は電源ユニツト５に電気的に接続され、
　前記底板１ａ上にはメダルホツパーユニツト１０の後方への移動を規制するための規制突条３２が設けられている、
　スロツトルマシン用メダルホツパーユニツト１０」の発明（以下、「引用発明１」という）が記載されていると認められる。
　
　当審の拒絶理由通知に周知・慣用の技術として引用され、本願出願前に頒布された、上記特開平７−１６３７３１号公報（以下、「引用刊行物２」という）には、以下の記載がある。
　「【０００１】
【産業上の利用分野】本発明は、遊技機の裏機構構造に係わり、詳しくは、遊技機の制御を行う制御回路盤を裏機構盤の下方部に配置して、落下球の衝突を回避したり、保守点検の容易化等を図った遊技機の裏機構構造に関する。」
　「【００１６】次に、図３を参照して制御回路盤１０６の配置構造について、詳細に説明する。・・・制御回路盤１０６の左右側方にはケースから突出する取り付けガイド１４２ａ、１４２ｂがそれぞれ設けられており、これらの取り付けガイド１４２ａ、１４２ｂを凹室部１４１を形成している基枠体１１０の壁面に形成されたスリット状の保持ガイド１４３ａ、１４３ｂにそれぞれ挿入することにより、制御回路盤１０６が基枠体１１０に着脱可能に固定される。・・・
【００１７】制御回路盤１０６には配線用のコネクタ１５１〜１５４が設けられており、そのうちコネクタ１５１、１５２は凹室部１４１に配置されたコネクタ１６１、１６２にそれぞれ接続可能である。コネクタ１６１は玉排出装置１０４からの配線と制御回路盤１０６とを接続し、コネクタ１６２は枠用中継基盤１０３および役物制御回路盤からの配線１２３と制御回路盤１０６とを接続する。なお、コネクタ１５１、１５２は制御回路盤１０６を凹室部１４１に取り付けたとき同時に凹室部１４１側のコネクタ１６１、１６２に対してそれぞれ差し込まれる。・・・」
　
　したがって、引用刊行物２には、　
「制御回路盤１０６の左右側方には取り付けガイド１４２ａ、１４２ｂがそれぞれ突出して設けられ、これらの取り付けガイド１４２ａ、１４２ｂを凹室部１４１を形成している基枠体１１０の壁面に形成されたスリット状の保持ガイド１４３ａ、１４３ｂにそれぞれ挿入することにより、制御回路盤１０６が基枠体１１０に着脱可能に固定される遊技機において、制御回路盤１０６に設けられた配線用のコネクタ１５１、１５２は制御回路盤１０６を凹室部１４１に取り付けたとき同時に凹室部１４１側のコネクタ１６１、１６２に対してそれぞれ差し込まれる遊技機」の発明（以下、「引用発明２」という）が記載されていると認められる。
　
　当審の拒絶理由通知に周知・慣用の技術として引用され、本願出願前に頒布された、上記特開平５−３２９２５１号公報（以下、「引用刊行物３」という）には、以下の記載がある。
　「【０００１】
【産業上の利用分野】本発明は、その表示面に複数の識別情報が形成された回転体を電気的駆動源によって回転せしめる遊技機の可変表示装置に関するものである。」
　「【００２１】上記のように構成されるドラム装置収納体７１に回転ドラム装置９０を支持固定するためには、回転ドラム装置９０のリール本体９１及びステッピングモータ１７０が設けられる固定板１３１を案内溝７３に沿って後方へ押し込む。・・・また、固定板１３１を最後まで押し込んだときには、回転ドラム装置９０側に設けられるコネクタ１３９（第１接続端子）が自然にプリント配線基板８３に植立されるコネクタ８６に連結される。これにより、回転ドラム装置９０に設けられるステッピングモータ１７０及び照射装置１５５への電気的な接続作業が完了する。即ち、本実施例においては、リール本体９１とステッピングモータ１７０とが固定される固定板１３１には、ステッピングモータ１７０及び照射装置１５５からの配線が接続されるコネクタ１３９が設けられ、一方、固定板１３１を支持固定し且つリール本体９１を収納するドラム装置収納体７１には、コネクタ８６が設けられているので、固定板１３１を収納体７１に支持固定するだけで、コネクタ１３９とコネクタ８６とが連結されるため、配線の接続作業を特別に行う必要はなく、また、配線を傷付けることもない。」
　
　したがって、引用刊行物３には、　
「固定板１３１にはステッピングモータ１７０及び照射装置１５５からの配線が接続されるコネクタ１３９が設けられ、一方、固定板１３１を支持固定し且つリール本体９１を収納するドラム装置収納体７１にはコネクタ８６が設けられ、固定板１３１を案内溝７３に沿って後方へ押し込む遊技機において、固定板１３１を最後まで押し込んだときにはコネクタ１３９が自然にコネクタ８６に連結され電気的な接続作業が完了する、遊技機」の発明（以下、「引用発明３」という）が記載されていると認められる。
　
　当審の拒絶理由通知に周知・慣用の技術として引用され、本願出願前に頒布された、上記特開平３−２２２９８２号公報（以下、「引用刊行物４」という）には、以下の記載がある。
　公報第３頁左上欄第１６行乃至第１９行には「更に、パチンコ機１の裏面下部には、前記球貸装置２４、残球検出器１６、及びカード読取り装置３０と接続されるマイクロコンピュータ２７が設けられている。」と、
　公報第３頁左下欄第１１行乃至右下欄第３行には「以上、パチンコ機１の構成及び作用の概要について説明したが、このパチンコ機１に設けられるカード読取り装置３０は、第１図及び第２図に示すような構造を有している。そこで、カード読取り装置３０の構成について説明すると、カード読取り装置３０は、パチンコ機１の支持部材１４に装着したときに下部球受皿１３の一側にきれいに収納されるケース３１に集約して設けられる。しかして、ケース３１には、その側面両側に支持溝３２ａ、３２ｂが形成され、支持部材１４に形成される取付部５０に突設される案内突起５１ａ，５１ｂに嵌装されて、カード読取り装置３０を支持部材１４に支持固定する。・・・」と、
　公報第４頁右上欄第１０行乃至左下欄第１８行には「カード読取り装置３０は、上記のような内部構造を有するが、上記した金額表示器３４、景品球数表示器３５、精算ボタン３６、搬送モータ３８、情報読取りヘッド３９、及びカード検出器は、集約して１つの多極コネクタ４０に接続され、そのコネクタ４０は、ケース３１の後面外側に突出している。・・・
　上記したカード読取り装置３０を着脱自在に取着する取付部５０は、・・・取付部５０の後面は、後面壁によって閉塞されるが、その後面壁には、前記コネクタ４０と接続されるコネクタ５２が設けられている。したがって、ケース３１の支持溝３２ａ、３２ｂを取付部５０の案内突起５１ａ、５１ｂに案内させながら押し込むと、コネクタ４０とコネクタ５２とが自然に合致して接続されることになる。」と記載されている。
　
　したがって、引用刊行物４には、　
「ケース３１の支持溝３２ａ、３２ｂを取付部５０の案内突起５１ａ、５１ｂに案内させながら押し込むと、ケース３１の後面外側に突出しているコネクタ４０と取付部５０の後面壁に設けられているコネクタ５２とが自然に合致して接続され、カード読取り装置３０とマイクロコンピュータ２７とが接続されるパチンコ機１」の発明（以下、「引用発明４」という）が記載されていると認められる。
　
　当審の拒絶理由通知に周知・慣用の技術として引用され、本願出願前に頒布された、上記実願昭６２−３９７１２号（実開昭６３−１４８７７２号）のマイクロフィルム（以下、「引用刊行物５」という）には、以下の記載がある。
　明細書第１頁第１６行乃至第１７行には「本考案は扉の掛止施錠に用いられる掛金装置に関するものである。」と、
　明細書第４頁第１３行乃至第１７行には「第８図と第９図に示したように引手板２とラッチ棒８の間に連動体を配置せずに、ラッチ棒８を引手板２で直接駆動することもでき、ラッチ棒８の進退方向も引手板２と直角でなく、引手板２の長さ方向に進退させてもよい。」と、
　明細書第６頁第１２行乃至第２０行には「・・・ラッチ棒８が箱本体側の受部２１に正しく突入せず、・・・ラッチ棒８が受部２１に突入した時には、・・・」と記載されている。
　
　したがって、引用刊行物５には、　
「箱本体側の受部２１に扉側のラッチ棒８を突入させる掛金装置において、引手板２でラッチ棒８を直接駆動する掛金装置」の発明（以下、「引用発明５」という）が記載されていると認められる。
　
　当審の拒絶理由通知に周知・慣用の技術として引用され、本願出願前に頒布された、上記昭和１３年実用新案出願公告第４３３５号公報（以下、「引用刊行物６」という）には、以下の記載がある。
　公報第１頁左から第６行乃至第５行には「・・・手先にて指掛板（９）を扛起せしむれば作動片（１）の突片（２）は鍵穴（３）に先端を嵌入せる鍵杆（４）を引き出して鍵を開き・・・」と、
　「登録請求の範囲」の欄には、「・・・Ｌ字形作動片（１）の突片（２）にて鍵穴（３）に係合し得る鍵杆（４）を摺動せしむべくなしたる扉金具・・・」と記載されている。
　
　したがって、引用刊行物６には、　
「鍵穴（３）に嵌入し得る鍵杆（４）を備え、手先にて指掛板（９）を扛起せしむればＬ字形作動片（１）の突片（２）にて鍵杆（４）を摺動せしむべくなしたる扉金具」の発明（以下、「引用発明６」という）が記載されていると認められる。
　
第４．本願発明との比較・検討
　本願発明と引用発明１とを比較する。
　引用発明１の「メダル」は本願発明１の「コイン」に相当し、以下同様に「スロツトルマシン」は「遊技機」に、「案内レール３０」は「ガイドレール」に、「補助ホツパー５１とホツパー部３３」は「バケット部」に、「メダルホツパーユニツト１０」は「コイン払出装置」に、「前後方向へ移動可能な脚片３１」は「摺動可能なガイド片」に、「嵌合」は「係合」に、それぞれ相当する。そして、引用発明１における「補助ホツパー５１とホツパー部３３とに収容されるメダル」が多数であることは当該技術分野においては当然の技術常識である。
　したがって、両者の一致点及び相違点は次のとおりである。
　
　一致点
　コインを媒体として作動する遊技機の内部に設けられたガイドレールに沿って移動可能で、多数のコインを収容するバケット部を有するコイン払出装置において、
　前記ガイドレールに沿って摺動可能なガイド片を備える遊技機用コイン払出装置。
　
　相違点（Ａ）
　コイン払出装置が、本願発明ではバケット部を支持する基台を有し、ガイド片が当該基台の側面に設けられているのに対し、引用発明１では、ガイド片（脚片３１）が、コイン払出装置（メダルホツパーユニツト１０）の下面に設けられている点。
　相違点（Ｂ）
　本願発明では、ガイド片をガイドレールに係合させて基台を遊技機内部の所定の位置まで移動させたとき、遊技機の内部に設けられた略矩形状の第１コネクタと接続するように前記基台に設けられた略矩形状の第２コネクタを備えるのに対し、引用発明１では、コイン払出装置（メダルホツパーユニツト１０）は電源ユニツトに接続されている点。
　相違点（Ｃ）
　本願発明では、略矩形状の第１コネクタ及び第２コネクタの内、一方のコネクタの対角線上に一対の穴部を備え、他方のコネクタの対角線上に前記穴部と係合する一対の突起部を備えるのに対し、引用発明１では、そのような構成を備えるかどうか明らかでない点。
　相違点（Ｄ）
　本願発明では、基台を固定するロック機構として、遊技機の底部を構成し前記基台が搭載される基板に開口された開口部に係止される係止部材と、該係止部材に連動するロック・解除部材とを備えて構成され、該ロック・解除部材を操作することによって前記係止部材を前記開口部で係止させる方向に移動させ、前記基台を前記遊技機に固定し、かつ、前記係止部材を前記開口部から外れる方向に移動させ、前記基台を前記遊技機から解放するものであるのに対し、引用発明では、底板上にコイン払出装置（メダルホツパーユニツト１０）の後方への移動を規制するための規制突条が設けられている点。
　　
　そこで、上記相違点について検討する。
　相違点（Ａ）について　　
　引用発明１には「バケット部（補助ホツパー５１とホツパー部３３）を支持する基台」についての明らかな記載はないが、前後方向へ移動可能なコイン払出装置（メダルホツパーユニツト１０）がバケット部を備えているのであるから、バケット部を支持する部材をコイン払出装置が有することは構成上、明らかな事項である。そして、ガイド片をどこに設けるかは、ガイドレールとの位置関係や作業性を考慮して当業者が適宜なし得る設計上の事項であるから、引用発明１のガイド片の位置を、バケット部を支持する部材を有するコイン払出装置の側面に変え、相違点（Ａ）に係る本願発明を特定する事項とすることは、当業者が容易になし得たものである。
　相違点（Ｂ）について　
　ガイド片をガイドレールに係合させ、第２コネクタを所定の位置まで移動させたとき、遊技機の内部に設けられた第１コネクタと接続する技術は、例えば、引用発明２における「取り付けガイド１４２ａ、１４２ｂをスリット状の保持ガイド１４３ａ、１４３ｂに挿入し、コネクタ１６１、１６２に対してそれぞれ差し込まれる配線用のコネクタ１５１、１５２」、引用発明３における「固定板１３１を案内溝７３に沿って最後まで押し込んだときには、コネクタ８６に連結され電気的な接続作業が完了するコネクタ１３９」、引用発明４における「支持溝３２ａ、３２ｂを案内突起５１ａ、５１ｂに案内させながら押し込むと、コネクタ５２に自然に合致して接続されるコネクタ４０」のように遊技機の分野においては周知・慣用の技術であるから、当該周知・慣用の技術を引用発明１におけるコイン払出装置（メダルホツパーユニツト１０）と電源ユニツトとの接続に適用し、相違点（Ｂ）に係る本願発明を特定する事項とすることは、当業者が容易になし得たものである。
　相違点（Ｃ）について　
　一方のコネクタに一対の穴部を備え、他方のコネクタに前記穴部と係合する一対の突起部を備え、接続される相互のコネクタが略矩形状であるものは、例えば、実公平３−３６０４４号公報に示された「矩形状表面２２ｃを備えた雌コネクタ部材２１、矩形状表面２ａを備えた雄コネクタ部材１」（第１図乃至第４図参照）及び実公平２−３６２１９号公報に示された「矩形状表面２２ｃを備えた雌コネクタ部材２１、矩形状表面２ａを備えた雄コネクタ部材１」（第１図乃至第４図参照）並びに実願平４−３６７３８号（実開平５−９０８４８号）のＣＤ−ＲＯＭに示された「雌側ハウジング２１、雄側ハウジング１１」（【図５】参照）のように周知・慣用の技術（以下、「周知・慣用の技術ア」という）であり、また一方のコネクタのほぼ対角線上に一対の穴部を備え、他方のコネクタのほぼ対角線上に前記穴部と係合する一対の突起部を備えるものは、例えば、上記実公平３−３６０４４号公報に示された「雌コネクタ部材２１のほぼ対角線上に配設されたガイドポスト３０、雄コネクタ部材１のほぼ対角線上に配設されたガイドピン１０」（第１図乃至第４図参照）及び上記実公平２−３６２１９号公報に示された「雌コネクタ部材２１のほぼ対角線上に配設されたガイドポスト３０、雄コネクタ部材１のほぼ対角線上に配設されたガイドピン１０」（第１図乃至第４図参照）並びに特開平６−６０９３５号公報に示された「プラグ３の孔、ソケット５に植設されたガイドポール１４」（【００３８】及び【図３】，【図７】参照）のように周知・慣用の技術（以下、「周知・慣用の技術イ」という）であるから、相違点（Ｃ）に係る本願発明を特定する事項とすることは、当業者が容易になし得たものである。
　相違点（Ｄ）について　
　固定側部材の開口部に係止される移動側部材の係止部材と、該係止部材に連動するロック・解除部材とを備えて構成され、該ロック・解除部材を操作することによって前記係止部材を前記開口部で係止させる方向に移動させ、移動側部材を固定し、かつ、前記係止部材を前記開口部から外れる方向に移動させ、移動側部材を解放するロック機構は、例えば、引用発明５に示された「受部２１に突入するラッチ棒８を引手板２で直接駆動する掛金装置」、及び引用発明６に示された「Ｌ字形作動片（１）の突片（２）にて鍵穴（３）に係合し得る鍵杆（４）を摺動せしむべくなしたる扉金具」のようにロック機構としては周知・慣用の技術である。そして、固定側部材と移動側部材とが隣接している箇所にロック機構を設けることは、係止部材の出没により係止又は解放させる機構からみて、当然の事項であるから、当該周知・慣用の技術を「基板（底板）上にコイン払出装置（メダルホツパーユニツト１０）の後方への移動を規制するための部材」を備えている引用発明１に適用し、相違点（Ｄ）に係る本願発明を特定する事項とすることは、当業者が容易になし得たものである。　
　
　そして、本願発明の作用効果は、当業者が容易に予測できるものである。
　
第５．むすび
　以上のとおり、本願発明は、当審の拒絶理由通知に引用された上記引用発明１及び当審の拒絶理由通知に引用された周知・慣用技術並びに「周知・慣用技術ア及びイ」に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。